(57)【要約】【課題】太陽電池を搭載した携帯機器における機能を改善する。【解決手段】携帯機器は、外装と、複数の光電変換部と、制御部とを備えている。複数の光電変換部は、相互に隣り合って配されており、外装の一つの面に入射された光に基づいて発電する。制御部は、該複数の光電変換部のうちの予め設定された数の光電変換部における受光に応じた出力が基準の条件を満たす低出力であることに応答して、携帯機器の動作モードを切り替える。【選択図】図３
2017183799.tif 000002
【特許請求の範囲】
【請求項１】
携帯機器であって、
外装と、
相互に隣り合って配されており、前記外装の一つの面に入射された光に基づいて発電する複数の光電変換部と、
該複数の光電変換部のうちの予め設定された数の光電変換部における受光に応じた出力が基準の条件を満たす低出力であることに応答して、前記携帯機器の動作モードを切り替える制御部と、を備える、携帯機器。
【請求項２】
前記動作モードは、情報を出力する出力モードを含む、請求項１記載の携帯機器。
【請求項３】
情報を可視的に出力する表示部、をさらに備え、
前記出力モードは、前記表示部において情報を可視的に出力する表示モードを含む、請求項２記載の携帯機器。
【請求項４】
前記表示部は、前記携帯機器のうちの前記一つの面側に配された表示パネルを有し、
前記複数の光電変換部は、透明であり且つ前記表示パネル上に直接あるいは他の透明層を介して配されており、
前記制御部は、前記表示部において、前記複数の光電変換部のうちの出力が前記低出力である１以上の光電変換部が積層されている領域を避けた表示対象領域に、少なくとも特定の種類の情報を表示させる、請求項３記載の携帯機器。
【請求項５】
前記表示部は、前記携帯機器のうちの前記一つの面側に配された表示パネルを有し、
前記複数の光電変換部は、透明であり且つ前記表示パネル上に直接あるいは他の透明層を介して配されており、
前記制御部は、前記表示部において、前記複数の光電変換部のうちの出力が特定の条件を満たす高出力である１以上の光電変換部が積層されている表示対象領域に、少なくとも特定の種類の情報を表示させる、請求項３記載の携帯機器。
【請求項６】
前記制御部は、前記表示対象領域が相互に離間した２以上の領域を有するときに、該２以上の領域のうちの最もサイズが大きな領域に、少なくとも前記特定の種類の情報を表示させる、請求項４または請求項５記載の携帯機器。
【請求項７】
イベントの発生を知らせる報知部、を備え、
前記出力モードは、前記報知部によってイベントの発生を知らせる報知モードを含む、請求項２から請求項６の何れか１つの請求項記載の携帯機器。
【請求項８】
前記報知部が、音声を出力するスピーカ及び前記外装を振動させる振動部を含み、
前記制御部は、前記スピーカから出力される音声によってイベントの発生を知らせる報知モードを、前記振動部による前記外装の振動によってイベントの発生を知らせる報知モードに切り替える、請求項７記載の携帯機器。
【請求項９】
前記報知部が、音声を出力するスピーカを含み、
前記制御部は、前記スピーカから出力される音声によってイベントの発生を知らせる報知モードを、音声及び前記外装の振動の何れによってもイベントの発生を知らせない報知モードに切り替える、請求項７記載の携帯機器。
【請求項１０】
前記報知部が、前記外装を振動させる振動部を含み、
前記制御部は、前記振動部による前記外装の振動によってイベントの発生を知らせる報知モードを、音声及び前記外装の振動の何れによってもイベントの発生を知らせない報知モードに切り替える、請求項７記載の携帯機器。
【請求項１１】
外装と、動作モードの切り替えを制御する制御部と、を備える携帯機器の制御方法であって、
前記制御部は、
相互に隣り合って配されており且つ前記外装の一つの面に入射された光に基づいてそれぞれ発電する複数の光電変換部のうち、予め設定された数の光電変換部における受光に応じた出力が基準の条件を満たす低出力であることを判定する工程と、
前記予め設定された数の光電変換部の出力が前記低出力であると判定されたことに応答して、前記携帯機器の動作モードを切り替える工程と、を有する前記携帯機器の動作モードの切替処理の制御を実行する、携帯機器の制御方法。
【請求項１２】
携帯機器の制御装置であって、
プログラムを記憶する記憶媒体と、
前記プログラムを実行することにより、
相互に隣り合って配されており且つ前記携帯機器の外装の一つの面に入射された光に基づいてそれぞれ発電する複数の光電変換部のうち、予め設定された数の光電変換部における受光に応じた出力が基準の条件を満たす低出力であることに応答して、前記携帯機器の動作モードを切り替える切替処理を実行するプロセッサーと、を備える、携帯機器の制御装置。
【請求項１３】
外装と、動作モードの切り替えを制御する制御部と、を備える携帯機器を制御するための制御プログラムであって、
前記携帯機器に、
相互に隣り合って配されており且つ前記外装の一つの面に入射された光に基づいてそれぞれ発電する複数の光電変換部のうち、予め設定された数の光電変換部における受光に応じた出力が基準の条件を満たす低出力であることを判定する工程と、
前記予め設定された数の光電変換部の出力が前記低出力であると判定されたことに応答して、前記携帯機器の動作モードを切り替える工程と、を実行させるための制御プログラム。
【発明の詳細な説明】
【技術分野】
【０００１】
本開示は、携帯機器、携帯機器の制御方法、携帯機器の制御装置及び制御プログラムに関する。
【背景技術】
【０００２】
太陽電池モジュールが設けられた携帯機器が特許文献１に記載されている。
【先行技術文献】
【特許文献】
【０００３】
【特許文献１】特開２００９−１０９４５号公報
【発明の概要】
【発明が解決しようとする課題】
【０００４】
太陽電池モジュールを搭載した携帯機器については、機能に改善の余地がある。
【課題を解決するための手段】
【０００５】
携帯機器、携帯機器の制御方法、携帯機器の制御装置及び制御プログラムが開示される。
【０００６】
携帯機器の一態様は、外装と、複数の光電変換部と、制御部とを備えている。複数の光電変換部は、相互に隣り合って配されており、外装の一つの面に入射された光に基づいて発電する。制御部は、該複数の光電変換部のうちの予め設定された数の光電変換部における受光に応じた出力が基準の条件を満たす低出力であることに応答して、携帯機器の動作モードを切り替える。
【０００７】
携帯機器の制御方法の一態様は、外装と、動作モードの切り替えを制御する制御部と、を備える携帯機器の制御方法である。該携帯機器の制御方法では、制御部は、相互に隣り合って配されており且つ外装の一つの面に入射された光に基づいてそれぞれ発電する複数の光電変換部のうち、予め設定された数の光電変換部における受光に応じた出力が基準の条件を満たす低出力であることを判定する工程と、予め設定された数の光電変換部の出力が低出力であると判定されたことに応答して、携帯機器の動作モードを切り替える工程と、を有する携帯機器の動作モードの切替処理の制御を実行する。
【０００８】
携帯機器の制御装置の一態様は、記憶媒体と、プロセッサーと、を備える。記憶媒体は、プログラムを記憶する。プロセッサーは、プログラムを実行することにより、相互に隣り合って配されており且つ携帯機器の外装の一つの面に入射された光に基づいてそれぞれ発電する複数の光電変換部のうち、予め設定された数の光電変換部における受光に応じた出力が基準の条件を満たす低出力であることに応答して、携帯機器の動作モードを切り替える切替処理を実行する。
【０００９】
制御プログラムの一態様は、外装と、動作モードの切り替えを制御する制御部と、を備える携帯機器を制御するための制御プログラムである。制御プログラムは、携帯機器に、相互に隣り合って配されており且つ外装の一つの面に入射された光に基づいてそれぞれ発電する複数の光電変換部のうち、予め設定された数の光電変換部における受光に応じた出力が基準の条件を満たす低出力であることを判定する工程と、予め設定された数の光電変換部の出力が低出力であると判定されたことに応答して、携帯機器の動作モードを切り替える工程と、を実行させる。
【発明の効果】
【００１０】
太陽電池を搭載した携帯機器における機能を改善することができる。
【図面の簡単な説明】
【００１１】
【図１】携帯機器の外観の一例を概略的に示す斜視図である。
【図２】携帯機器の外観の一例を概略的に示す背面図である。
【図３】携帯機器の電気的構成の一例を概略的に示すブロック図である。
【図４】ソーラーパネルの配設態様の一例を概略的に示す図である。
【図５】ソーラーパネルの構成の一例を概略的に示す図である。
【図６】制御部の内部構成の一例を概略的に示す図である。
【図７】ユーザーによる携帯機器の使用状況の一例を示す図である。
【図８】ユーザーによる携帯機器の使用状況の他の一例を示す図である。
【図９】ソーラーパネルにおける受光状態の一例を示す図である。
【図１０】ソーラーパネルにおける受光状態の他の一例を示す図である。
【図１１】表示部における情報の表示態様を例示する図である。
【図１２】表示部における情報の表示態様の一例を示す図である。
【図１３】表示部における情報の表示態様の他の一例を示す図である。
【図１４】表示部における情報の表示態様のその他の一例を示す図である。
【図１５】着信時に報知モードが切り替えられる一例を示す図である。
【図１６】着信時に報知モードが切り替えられる一例を示す図である。
【図１７】着信時に報知モードが切り替えられる一例を示す図である。
【図１８】着信時に報知モードが切り替えられる他の一例を示す図である。
【図１９】着信時に報知モードが切り替えられる他の一例を示す図である。
【図２０】着信時に報知モードが切り替えられる他の一例を示す図である。
【図２１】動作モードを切り替える処理の一例に係るフローチャートである。
【図２２】動作モードを切り替える処理の他の一例に係るフローチャートである。
【図２３】着信時に動作モードが切り替えられる一例を示す図である。
【図２４】着信時に動作モードが切り替えられる他の一例を示す図である。
【図２５】ソーラーパネルの配設態様の一例を概略的に示す図である。
【図２６】ソーラーパネルの構成の一例を概略的に示す図である。
【図２７】携帯機器の外観の一例を概略的に示す背面図である。
【発明を実施するための形態】
【００１２】
以下、実施形態の一例ならびに各種変形例を図面に基づいて説明する。なお、図面においては同様な構成及び機能を有する部分については同じ符号が付されており、下記説明では重複説明が省略される。また、図面は模式的に示されたものであり、各図における各種構造のサイズ及び位置関係などは適宜変更され得る。
【００１３】
＜(１)実施形態の一例＞
＜(１−１)携帯機器の外観の一例＞
図１は、携帯機器１の外観の一例を概略的に示す斜視図である。図２は、携帯機器１の外観の一例を概略的に示す背面図である。携帯機器１は、例えば、スマートフォンなどの携帯可能な電子機器である。例えば、携帯機器１は、基地局及びサーバなどを通じて他の通信装置と通信することが可能であってよい。
【００１４】
図１及び図２に示されるように、携帯機器１は、外装（ハウジング）４を備えている。例えば、外装４は、カバーパネル２と機器ケース３とを備えている。カバーパネル２は、携帯機器１の前面１ａに位置しており、機器ケース３に取り付けられている。携帯機器１の外装４の形状は、例えば、平面視において略長方形の板状となっている。
【００１５】
カバーパネル２の裏面側には、表示パネル１２１、タッチパネル１３０及びソーラーパネル２１０が配置されている。カバーパネル２、表示パネル１２１、タッチパネル１３０及びソーラーパネル２１０は、例えば、互いに略平行に重ね合って配置されている。具体的には、例えば、カバーパネル２の裏面にタッチパネル１３０が取り付けられ、タッチパネル１３０の裏面にソーラーパネル２１０が取り付けられ、ソーラーパネル２１０の裏面に表示パネル１２１が取り付けられている。なお、ソーラーパネル２１０は、例えば、表示パネル１２１の上に、直接配されていてもよいし、他の透明な層を介して配されていてもよい。
【００１６】
カバーパネル２は、特定の波長域の光を透過する性質（透明性とも言う）を有している。特定の波長域の光には、例えば、可視光線だけでなく、視認できない光線（不可視光線とも言う）が含まれてもよい。不可視光線には、例えば、紫外線及び赤外線などが含まれ得る。また、カバーパネル２には、表示パネル１２１が表示する、文字、記号及び図形などの各種情報が表示される表示画面２ａが設けられている。カバーパネル２における、表示画面２ａを取り囲む周縁部２ｂの大部分は、例えば、フィルムなどが貼られることによって黒色となっている。これにより、カバーパネル２の周縁部２ｂの大部分は、表示パネル１２１が表示する各種情報が表示されない非表示領域となっている。
【００１７】
タッチパネル１３０は、透明性を有している。該タッチパネル１３０は、表示画面２ａに対する操作子（例えば、ユーザーの指など）の接触または近接を検出することができる。ユーザーは、表示画面２ａを操作子で操作することで、携帯機器１に対して各種指示を与えることができる。
【００１８】
ソーラーパネル２１０は、例えば、カバーパネル２を介して入射された所定の波長域の光に基づいて発電をすることができる太陽電池としての機能を有している。所定の波長域の光には、例えば、紫外線などが含まれ得る。つまり、例えば、ソーラーパネル２１０では、所定の波長域の光の受光に応じた出力が得られる。ここで、出力には、例えば、電圧、電流及び電力が含まれる。そして、ソーラーパネル２１０における発電で得られた電力は、例えば、携帯機器１で使用され得る。これにより、ソーラーパネル２１０は、例えば、携帯機器１の電源として活用され得る。また、ソーラーパネル２１０は、所定の波長域とは異なる他の所定の波長域の光を透過する性質を有している透明のパネルである。他の所定の波長域の光には、例えば、可視光線が含まれ得る。これにより、表示パネル１２１から出射される可視光線が、ソーラーパネル２１０などを透過することができる。その結果、表示パネル１２１によって表示画面２ａに各種情報を可視的に出力させることができる。
【００１９】
また、図１に示されるように、例えば、カバーパネル２の上側端部には、後述する第２カメラ１９０が有するレンズが携帯機器１の外部から視認可能となるように第２レンズ用透明部材１９が設けられている。また、カバーパネル２の上端部の近傍には、レシーバ穴１６が形成されている。また、カバーパネル２の下端部の近傍には、スピーカ穴１７が形成されている。そして、携帯機器１の底面１ｃ、つまり、機器ケース３の底面（下側の側面）には、マイク穴１５が形成されている。
【００２０】
また、図２に示されるように、携帯機器１の外装４の背面１ｂのうち、例えば、機器ケース３の背面の上端部の近傍には、後述する第１カメラ１８０が有するレンズが、携帯機器１の外部から視認可能となるように第１レンズ用透明部材１８が設けられている。
【００２１】
機器ケース３の内部には、複数の操作ボタン１４を含む操作ボタン群１４０が設けられている。各操作ボタン１４は、押しボタンなどのハードウェアボタンである。操作ボタンは、「操作キー」あるいは「キー」と呼ばれることがある。各操作ボタン１４は、例えば、カバーパネル２の下端部の近傍から露出している。ユーザーは、各操作ボタン１４を指などで操作することによって、携帯機器１に対して各種指示を与えることができる。
【００２２】
複数の操作ボタン１４には、例えば、ホームボタン、バックボタン及び履歴ボタンが含まれている。ホームボタンは、表示画面２ａにホーム画面（初期画面）を表示させるための操作ボタンである。バックボタンは、表示画面２ａの表示を一つ前の画面に切り替えるための操作ボタンである。履歴ボタンは、携帯機器１で実行されたアプリケーションの一覧を表示画面２ａに表示させるための操作ボタンである。
【００２３】
＜(１−２)携帯機器の電気的構成の一例＞
図３は、携帯機器１の電気的構成の一例を概略的に示すブロック図である。図３に示されるように、携帯機器１は、制御部１００、無線通信部１１０、表示部１２０、タッチパネル１３０、ソーラーパネル２１０、操作ボタン群１４０、スピーカ１７０及び振動部２００を備えている。さらに、携帯機器１には、マイク１５０、レシーバ１６０、第１カメラ１８０、第２カメラ１９０、電源回路２３０及び電池２２０が設けられている。上述の構成要素は、携帯機器１の外装４の内部に収められている。
【００２４】
制御部１００は、例えば、一種の演算処理装置であって、例えば、電気回路であるＣＰＵ（Central Processing Unit）１０１、ＤＳＰ（Digital Signal Processor）１０２及び記憶媒体１０３などを備えている。制御部１００は、例えば、携帯機器１の他の構成要素を制御することによって、携帯機器１の動作を統括的に管理することが可能である。携帯機器１は、例えば、ＳｏＣ（System-on-a-Chip）、ＭＣＵ（Micro Control Unit）及びＦＰＧＡ（Field-Programmable Gate Array）等の副処理装置（co-processor）をさらに含んでもよい。また、携帯機器１は、ＣＰＵ（Central Processing Unit）及び副処理装置の双方を協働させるか、あるいは双方のうちの一方を選択的に用いて、各種の制御をおこなってもよい。
【００２５】
記憶媒体１０３は、ＲＯＭ（Read Only Memory）及びＲＡＭ（Random Access Memory）などの、ＣＰＵ１０１及びＤＳＰ１０２が読み取り可能な非一時的な記録媒体を含む。記憶媒体１０３が有するＲＯＭは、例えば、不揮発性メモリ１０３ｂであるフラッシュＲＯＭ（フラッシュメモリ）である。また、記憶媒体１０３が有するＲＡＭは、例えば、揮発性メモリ１０３ａである。記憶媒体１０３には、携帯機器１を制御するためのメインプログラム及び複数のアプリケーションプログラム（以降、単に「アプリケーション」と呼ぶことがある）などが記憶されている。制御部１００の各種機能は、ＣＰＵ１０１及びＤＳＰ１０２が記憶媒体１０３内の各種プログラムを実行することによって実現される。記憶媒体１０３には、例えば、音声通話及びビデオ通話を行うための通話アプリケーション、第１カメラ１８０あるいは第２カメラ１９０を用いて、静止画像あるいは動画像を撮像するための撮像アプリケーションが記憶されている。また、記憶媒体１０３に記憶されるアプリケーションには、例えば、携帯機器１を制御するための制御プログラムＰｇ１が含まれている。
【００２６】
なお、記憶媒体１０３は、ＲＯＭ及びＲＡＭ以外の、コンピュータが読み取り可能な非一時的な記録媒体を備えていてもよい。また、記憶媒体１０３は、例えば、小型のハードディスクドライブ及びＳＳＤ（Solid State Drive）などを備えていてもよい。また、記憶媒体１０３とは別の記憶媒体が設けられてもよい。該記憶媒体は制御部１００の外部に設けられてもよい。後述する情報の記憶先は、記憶媒体１０３であってもよく、他の記憶媒体であってもよい。また、制御部１００の全ての機能あるいは制御部１００の一部の機能は、その機能の実現にソフトウェアが不要なハードウェアによって実現されても構わない。要するに制御部１００は回路によって形成されていればよい。また、制御部１００の構成は後述する他の制御部にも適用できる。
【００２７】
無線通信部（通信回路とも言う）１１０は、いわゆる通信用のインターフェースであって、アンテナ１１０ａを有している。無線通信部１１０は、例えば、携帯機器１とは別の通信機器からの信号、あるいはインターネットに接続されたウェブサーバなどの通信装置からの信号を、例えば、基地局を介してアンテナ１１０ａで受信することが可能である。無線通信部１１０は、アンテナ１１０ａでの受信信号に対して増幅処理及びダウンコンバートを行って制御部１００に出力することが可能である。制御部１００は、例えば、入力される受信信号に対して復調処理などを行って、該受信信号に含まれる各種の情報（例えば、音声及び音楽などを示す音信号などの情報）を取得することが可能である。
【００２８】
また、無線通信部１１０は、制御部１００で生成された送信信号に対して、アップコンバート及び増幅処理を行って、該処理後の送信信号をアンテナ１１０ａから無線送信することが可能である。アンテナ１１０ａからの送信信号は、例えば、基地局を通じて、携帯機器１以外の携帯機器あるいはインターネットに接続されたウェブサーバなどの通信装置で受信される。
【００２９】
表示部１２０は、表示パネル１２１及び表示画面２ａを備えている。表示パネル１２１は、例えば、外装４の１つの面である前面１ａ側に配されている。該表示パネル１２１には、例えば、液晶パネルあるいは有機ＥＬ(Electro Luminescence）パネルが採用され得る。表示パネル１２１は、制御部１００に制御されることによって、文字、記号及び図形などの各種情報を表示することが可能である。表示パネル１２１が表示する各種情報は、表示画面２ａに表示される。これにより、表示部１２０は、例えば、情報を可視的に出力することができる。
【００３０】
タッチパネル１３０は、例えば、投影型静電容量方式のタッチパネルである。タッチパネル１３０は、例えば、表示画面２ａに対する指などの操作子による操作を検出することが可能である。ユーザーが指などの操作子によって表示画面２ａに対して操作を行うと、その操作に応じた電気信号がタッチパネル１３０から制御部１００に入力される。これにより、制御部１００は、タッチパネル１３０からの電気信号に基づいて、表示画面２ａに対して行われた操作の内容を特定して、その内容に応じた処理を行うことが可能である。なお、ユーザーは、指以外の操作子、例えば、スタイラスペンなどの静電式タッチパネル用ペンで表示画面２ａを操作することによっても、携帯機器１に対して各種指示を与えることができる。
【００３１】
操作ボタン群１４０の各操作ボタン１４は、ユーザーによって操作されると、操作されたことを示す操作信号を制御部１００に出力する。これにより、制御部１００は、各操作ボタン１４からの操作信号に基づいて、該操作ボタン１４が操作されたか否かを判断することができる。制御部１００は、操作された操作ボタン１４に応じた処理を行うことが可能である。なお、各操作ボタン１４は、押しボタンなどのハードウェアボタンではなく、表示画面２ａに表示されるソフトウェアボタンであってもよい。この場合には、ソフトウェアボタンへの操作がタッチパネル１３０によって検出されて、制御部１００は、操作されたソフトウェアボタンに応じた処理を行うことが可能である。
【００３２】
マイク１５０は、例えば、携帯機器１の外部から入力される音を電気的な音信号に変換して制御部１００に出力することが可能である。携帯機器１の外部からの音は、例えば、機器ケース３の底面（下側の側面）１ｃに設けられたマイク穴１５から携帯機器１の内部に取り込まれてマイク１５０に入力される。
【００３３】
スピーカ１７０は、例えば、音声を出力することができる。該スピーカ１７０は、例えば、タイミックスピーカである。例えば、スピーカ１７０では、制御部１００からの電気的な音信号が音に変換されて出力され得る。スピーカ１７０から出力される音は、例えば、カバーパネル２の下側端部に形成されたスピーカ穴１７から携帯機器１の外部に出力される。スピーカ穴１７から出力される音の音量は、携帯機器１から離れた場所でも聞こえるような音量となっている。
【００３４】
レシーバ１６０は、例えば、ダイナミックスピーカで構成されている。レシーバ１６０は、例えば、制御部１００からの電気的な音信号を音に変換して出力することが可能である。レシーバ１６０は、例えば、受話音を出力する。レシーバ１６０から出力される音は、例えば、カバーパネル２の上側端部に形成されたレシーバ穴１６から外部に出力される。レシーバ穴１６から出力される音の音量は、例えば、スピーカ１７０からスピーカ穴１７を介して出力される音の音量よりも小さくなっている。
【００３５】
なお、レシーバ１６０に代えて、圧電振動素子が設けられてもよい。圧電振動素子は、制御部１００からの音信号に基づいて振動することが可能である。圧電振動素子は、例えば、カバーパネル２の裏面に設けられており、音信号に基づく自身の振動によってカバーパネル２を振動させることが可能である。そして、ユーザーが自身の耳をカバーパネル２に近づけることにより、カバーパネル２の振動が音声としてユーザーに伝達される。レシーバ１６０に代えて圧電振動素子が設けられる場合には、レシーバ穴１６は不要である。
【００３６】
第１カメラ１８０及び第２カメラ１９０のそれぞれは、レンズ及び撮像素子などを備えている。第１カメラ１８０は、制御部１００によって制御される。第１カメラ１８０は、第１レンズ用透明部材１８及びレンズを介して撮像素子で光を受光して、撮像画像を生成し、該撮像画像を制御部１００へと出力することができる。第２カメラ１９０は、制御部１００によって制御される。第２カメラ１９０は、第２レンズ用透明部材１９及びレンズを介して撮像素子で光を受光して、撮像画像を生成し、該撮像画像を制御部１００に出力することができる。これらの撮像画像は、静止画像であってもよい。あるいは第１カメラ１８０及び第２カメラ１９０は、撮像画像を繰り返し（例えば、周期的に）生成して動画像を生成してもよい。
【００３７】
第１カメラ１８０が有するレンズは、携帯機器１の背面１ｂに設けられた第１レンズ用透明部材１８から視認可能である。したがって、第１カメラ１８０は、携帯機器１の背面１ｂ側に存在する物体を撮像することが可能である。このような第１カメラ１８０は、「アウトカメラ」と呼ばれることがある。また、第２カメラ１９０が有するレンズは、カバーパネル２に設けられた第２レンズ用透明部１９から視認可能となっている。したがって、第２カメラ１９０は、携帯機器１のカバーパネル２側、つまり電子機器１の前面１ａ側に存在する物体を撮像することが可能である。このような第２カメラ１９０は、「インカメラ」と呼ばれることがある。
【００３８】
振動部２００は、例えば、制御部１００の指示に基づいて振動することができる。振動部２００で生じる振動は、携帯機器１の外装４に伝達される。つまり、振動部２００は、外装４を振動させることができる。よって、例えば、ユーザーが、携帯機器１の外装４に接している場合には、その振動が外装４を介してユーザーに伝達される。これにより、ユーザーは、携帯機器１からの報知を受け取ることができる。振動部２００は、例えば、振動モータ（例えば、直流モータまたはリニアモータ）または圧電振動素子を有している。なお、例えば、ユーザーが携帯機器１の外装４に接していなくても、携帯機器１の振動によって生じる音によって、ユーザーは、携帯機器１からの報知を受け取ることができる。
【００３９】
表示部１２０、スピーカ１７０及び振動部２００は、ユーザーに対して情報を出力することができるので、これらを出力部２４０とみなすことができる。また、スピーカ１７０及び振動部２００は、ユーザーに対してイベントの発生を知らせることができるので、これらを報知部２５０とみなすことができる。
【００４０】
ソーラーパネル２１０は、複数の光電変換部２１１を備えている。ここで、各光電変換部２１１は、例えば、透明であり且つ表示パネル１２１の上に直接あるいは他の透明な層（透明層とも言う）を介して配され得る。他の透明な層には、例えば、ソーラーパネル２１０からの出力を取り出すための配線を含む層、及び表示パネル１２１から発せられる不要な波長の光をカットする膜状の層などが適用され得る。
【００４１】
図４は、ソーラーパネル２１０の配設態様の一例を概略的に示す図である。図５は、ソーラーパネル２１０の構成の一例を概略的に示す図である。図４及び図５で示されるように、複数の光電変換部２１１は、ソーラーパネル２１０の面内において、相互に隣り合って配置されている。各光電変換部２１１は、例えば、平面視において矩形状の形状を有しており、複数の光電変換部２１１はマトリックス状に配置されている。図４及び図５の例では、横方向に３個の光電変換部２１１がならべられた光電変換部２１１の列が、縦方向に４列並べられることで、マトリックス状に配列された合計１２個の光電変換部２１１がソーラーパネル２１０を構成している。
【００４２】
図５で示される具体例では、例えば、正面から平面視して、レシーバ穴１６を上方とした場合、横方向にならぶ３個の光電変換部２１１からなる光電変換部２１１の列が、上方から下方に向けて４列ならべられている。より具体的には、例えば、上方から１行目の列には、左から順に光電変換部２１１ａ１〜２１１ａ３がならべられ、上方から２行目の列には、左から順に光電変換部２１１ｂ１〜２１１ｂ３がならべられている。また、例えば、上方から３行目の列には、左から順に光電変換部２１１ｃ１〜２１１ｃ３がならべられ、上方から４行目の列には、左から順に光電変換部２１１ｄ１〜２１１ｄ３がならべられている。
【００４３】
そして、各光電変換部２１１は、外装４の１つの面としての前面１ａに入射された光に基づいて発電を行う。各光電変換部２１１では、発電によって、電圧Ｖが出力される。つまり、ソーラーパネル２１０では、少なくとも光電変換部２１１毎に電圧Ｖが出力される。図４の例では、各光電変換部２１１から延びる破線の矢印は、各光電変換部２１１が電圧Ｖを出力することを示している。
【００４４】
各光電変換部２１１は、例えば、少なくともＰ型の半導体とＮ型の半導体とからなる一対の半導体領域が積層されて接合された板状あるいは膜状の半導体の部分と、該半導体の部分を挟む一対の電極とを備えている。そして、該半導体の部分に光が入射することで、光起電力効果により、Ｐ型の半導体領域とＮ型の半導体領域とが接合している領域（ＰＮ接合領域とも言う）において起電力が生じる。
【００４５】
また、一対の半導体は、少なくとも可視光線を透過する透明な半導体であり、例えば、約３ｅＶのバンドギャップを有する。このような半導体としては、例えば、酸化亜鉛などの酸化物半導体を採用することができる。半導体において発生した電圧は一対の電極に印加される。ここで、一対の電極は、透明であればよく、例えば、ＩＴＯ（Indium Tin Oxide）膜等が採用され得る。これにより、ソーラーパネル２１０が、少なくとも可視光線を透過する透明のパネルとなり得る。
【００４６】
また、各光電変換部２１１は、例えば、一対の電極に印加される電圧Ｖを出力する。なお、各光電変換部２１１は、単一の太陽電池素子（以下、セルとも呼ぶ）によって構成されてもよいし、複数のセルが配列されて相互に接続されることで構成されてもよい。各光電変換部２１１が、複数のセルによって構成される場合、例えば、複数のセルは、互いに直列に接続されてもよく、互いに並列に接続されてもよい。あるいは、直列接続された複数のセル同士が並列に接続されてもよい。複数のセルが直列に接続される場合、セルの集合体によって、互いに直列接続される複数のセルの全体に発生する電圧Ｖが出力され得る。このとき、各光電変換部２１１から出力される電圧Ｖが向上され得る。また、複数のセルが並列に接続される場合、各光電変換部２１１によって、複数のセルの各々の電圧Ｖが出力され、光電変換部２１１から出力される電流が増大し得る。各光電変換部２１１が発電した電圧Ｖは、電源回路２３０に出力される（図１も参照）。
【００４７】
電源回路２３０は、例えば、複数の光電変換部２１１を直列または並列に接続して得られる電圧を、携帯機器１の電源電圧として用いることができる。また、例えば、電源回路２３０では、互いに直列に接続された複数の光電変換部２１１同士が、互いに並列に接続されることで得られる電圧が、電源電圧として用いられてもよい。そして、電源回路２３０は、該電源電圧を、電池２２０へ出力して該電池２２０を充電したり、携帯機器１が備えている各種構成に出力したりすることができる。また、電源回路２３０は、電池２２０から各種構成へ電力を出力することもできる。なお、電池２２０としては、例えば、リチウムイオン二次電池などの充電式の電池が採用され得る。
【００４８】
また、電源回路２３０は、各光電変換部２１１に入射される光の量（入射光量とも言う）に応じて発せられる出力の大きさに応じた信号を制御部１００へ出力することができる。例えば、電源回路２３０は、各光電変換部２１１が出力する電圧Ｖ、電流Ｉまたは電力Ｗの大きさを示す数値を、入射光量に応じたパラメータの値（検出値とも言う）として検出し、該検出値に係る信号を制御部１００へ出力する。具体的には、例えば、電源回路２３０は、光電変換部２１１における一対の出力端子の間に設けられたスイッチがオンされたときに流れる短絡電流を、入射光量に応じた検出値として光電変換部２１１毎に検出し、該検出値に係る信号を制御部１００へ出力してよい。短絡電流は、光量の増加に応じて増大するので、制御部１００では、短絡電流に基づいて各光電変換部２１１に照射される光の光量が認識され得る。
【００４９】
なお、各光電変換部２１１に入射される光の量に応じた信号を制御部１００へ出力する構成は、必ずしも電源回路２３０に設けられている必要はない。例えば、光電変換部２１１の出力を検出する検出部が、電源回路２３０とは別に設けられてもよい。
【００５０】
また、各光電変換部２１１と電源回路２３０とが適宜透明な配線によって接続されることで、表示パネル１２１から発せられる光が、ソーラーパネル２１０、タッチパネル１３０及びカバーパネル２を透過することができる。透明な配線は、例えば、透明なフレキシブルプリント基板などによって構成され得る。
【００５１】
＜(１−３)制御部の構成＞
図６は、制御部１００の内部構成の一例を示す機能ブロック図である。ここでは、制御部１００は、記憶媒体１０３に格納された制御プログラムＰｇ１を実行することで実現される機能的な構成として、例えば、判定部１１とモード切替部１２とルール設定部１３とを備える。
【００５２】
＜(１−３−１)出力の判定＞
判定部１１は、例えば、複数の光電変換部２１１のうちの予め設定された数（所定数とも言う）の光電変換部２１１における受光に応じた出力が基準の条件を満たす低い出力（低出力とも言う）であるか否かを判定することができる。該判定部１１では、例えば、各光電変換部２１１の出力の大きさを示す検出値に係る信号が電源回路２３０から取得されることで、各光電変換部２１１の出力に係る検出値が認識され得る。なお、判定部１１では、例えば、各光電変換部２１１について、受光に応じた出力が特定の条件を満たす高い出力（高出力とも言う）であることが認識されることで、受光に応じた出力が高出力でない光電変換部２１１が認識されてもよい。
【００５３】
ここで、所定数として、例えば、１が採用されるが、２以上が採用されてもよい。光電変換部２１１における受光に応じた出力には、例えば、該光電変換部２１１が受光に応じた光電変換によって出力する電圧Ｖ、電流Ｉ及び電力Ｗの少なくとも１つが含まれ得る。基準の条件は、出力の高低を判定する際に基準となる条件である。該基準の条件には、例えば、出力の大きさを示す数値が予め設定された閾値未満である条件、及び出力の大きさを示す数値の逆数が予め設定された閾値を超える条件などが含まれる。例えば、受光に応じて光電変換部２１１から出力される電圧Ｖが、予め設定された閾値未満であれば、判定部１１によって、該光電変換部２１１における受光に応じた出力が低出力であるものと判定され得る。
【００５４】
また、出力の大きさを示す数値としては、例えば、電源回路２３０から入力される入射光量に応じた検出値が採用され得る。閾値は、例えば、複数の光電変換部２１１のすべてに対して共通する１つの閾値が設定されてもよいし、光電変換部２１１毎に設定されてもよいし、２以上の光電変換部２１１に対して共通する１つの閾値が設定されてもよい。
【００５５】
また、光電変換部２１１における受光に応じた出力の高低は、例えば、ユーザーによる携帯機器１の使用状況に応じて、光電変換部２１１に対する光の入射量が変化することで生じ得る。
【００５６】
ユーザーによる携帯機器１の使用状況には、例えば、ユーザーの身体、衣服及び物品などによって前面１ａの少なくとも一部が該携帯機器１の外からの光が入射しないように遮光されている状況が含まれ得る。ユーザーによる携帯機器１の使用状況の一例は、図７で示されている通りである。図７の例では、衣服またはバッグなどのポケットＰＫ１に携帯機器１が入れられている。この使用状況では、ポケットＰＫ１の存在によって、携帯機器１の前面１ａのうちの表示画面２ａの一部が外からの光が入射しないように遮光されている。また、ユーザーによる携帯機器１の使用状況の他の一例は、図８で示されている通りである。図８の例では、前面１ａが上方に向けられて携帯機器１が置かれた状態で、携帯機器１の上にユーザーの身体の一部である手ＨＤ１が置かれている。この使用状況では、手ＨＤ１の存在によって、携帯機器１の前面１ａのうちの表示画面２ａの一部が外からの光が入射しないように遮光されている。このような携帯機器１の使用状況は、例えば、ユーザーが容易かつ意図的に変化させることができる。
【００５７】
そして、各光電変換部２１１に対する光の入射量は、例えば、複数の光電変換部２１１が配されたソーラーパネル２１０に入射される光の入射光量の分布に応じて変化し得る。例えば、複数の光電変換部２１１のそれぞれが光学的に露出している状況に応じて、各光電変換部２１１に対する光の入射量が変化する。
【００５８】
図７で示されたユーザーによる携帯機器１の使用状況の一例において、各光電変換部２１１が光学的に露出している状況の一例は、図９で示されている通りである。図９の例では、１２個の光電変換部２１１のうち、上から１列目の３つの光電変換部２１１ａ１〜２１１ａ３が光学的に露出している。一方、上から２列目の３つの光電変換部２１１ｂ１〜２１１ｂ３の殆どの領域ならびに上から３列目及び４列目の合計６つの光電変換部２１１ｃ１〜２１１ｃ３，２１１ｄ１〜２１１ｄ３が光学的に露出しておらず、遮光されている。このとき、例えば、判定部１１によって、複数の光電変換部２１１のうちの上から２〜４列目の９つの光電変換部２１１ｂ１〜２１１ｂ３，２１１ｃ１〜２１１ｃ３，２１１ｄ１〜２１１ｄ３の出力が低出力であるものと判定され得る。
【００５９】
また、図８で示されたユーザーによる携帯機器１の使用状況の一例において、各光電変換部２１１が光学的に露出している状況の一例は、図１０で示されている通りである。図１０の例では、１２個の光電変換部２１１のうち、上から１列目の右側の光電変換部２１１ａ３及び上から４列目の３つの光電変換部２１１ｄ１〜２１１ｄ３が光学的に露出している。一方、上から１列目の左側及び中央の２つの光電変換部２１１ａ１，２１１ａ２ならびに上から２列目及び３列目の合計６つの光電変換部２１１ｂ１〜２１１ｂ３，２１１ｃ１〜２１１ｃ３のそれぞれの少なくとも一部の領域が光学的に露出しておらず、遮光されている。このとき、例えば、判定部１１によって、複数の光電変換部２１１のうちの８つの光電変換部２１１ａ１，２１１ａ２，２１１ｂ１〜２１１ｂ３，２１１ｃ１〜２１１ｃ３の出力が低出力であるものと判定され得る。
【００６０】
＜(１−３−２)モードの切り替え＞
モード切替部１２は、例えば、複数の光電変換部２１１のうちの予め設定された数（所定数）の光電変換部２１１における受光に応じた出力が低出力であることに応答して、携帯機器１の動作の態様（動作モードとも言う）を切り替えることができる。該モード切替部１２では、例えば、判定部１１による判定結果に応じて、携帯機器１の動作モードが切り替えられる。つまり、制御部１００は、例えば、複数の光電変換部２１１のうちの所定数の光電変換部２１１における受光に応じた出力が低出力であることに応答して、携帯機器１の動作モードを切り替えることができる。すなわち、制御部１００によって、動作モードの切り替えが制御され得る。
【００６１】
このように、例えば、ユーザーによる携帯機器１の使用状況に応じて、携帯機器１の動作モードが切り替えられ得る構成が採用されることで、太陽電池としてのソーラーパネル２１０を搭載した携帯機器１における機能が改善され得る。
【００６２】
ところで、切り替えられる対象の動作モードに、例えば、出力部２４０が情報を出力する態様（出力モードとも言う）が含まれていれば、例えば、ユーザーによる携帯機器１の使用状況に応じた、出力モードが実現され得る。なお、切り替えられる対象の動作モードに、例えば、制御部１００が情報を処理する態様（処理モードとも言う）などのその他の動作モードが含まれてもよい。このとき、例えば、ユーザーによる携帯機器１の使用状況に応じた、動作モードが実現され得る。
【００６３】
ここで、出力モードに、例えば、表示部１２０によって情報を可視的に出力する態様（表示モードとも言う）が含まれていれば、例えば、ユーザーによる携帯機器１の使用状況に応じた、表示モードが実現され得る。これにより、例えば、携帯機器１における表示の態様の切り替えに係る機能が向上し得る。
【００６４】
また、出力モードに、例えば、報知部２５０によってイベントの発生を知らせる態様（報知モードとも言う）が含まれていれば、例えば、ユーザーによる携帯機器１の使用状況に応じた、報知モードが実現され得る。これにより、例えば、携帯機器１における報知の態様の切り替えに係る機能が向上し得る。
【００６５】
＜(１−３−２−１)表示モードの切り替え＞
表示モードの切り替えの具体例としては、制御部１００により、表示部１２０において、複数の光電変換部２１１のうちの出力が低出力である１以上の光電変換部２１１がそれぞれ積層されている領域を避けた領域（表示対象領域とも言う）に、少なくとも特定の種類の情報が表示されるように表示モードが切り替えられる例が考えられる。ここでは、表示モードの切り替えに必要である、出力が低出力である光電変換部２１１の所定数は、１つであればよい。
【００６６】
ここで、特定の種類の情報は、例えば、制御プログラムＰｇ１などの記憶媒体１０３に記憶されるデータによって規定され得る。そして、該特定の種類の情報には、例えば、他者からの連絡である、電話の着信およびメールの受信があった旨を示す情報など、ユーザーにとって重要な情報が含まれ得る。なお、特定の種類の情報には、例えば、スケジュール及びアプリケーションの更新に関する情報などといった各種の重要なイベントの発生に係る情報が含まれてもよい。この場合、表示画面２ａのうち、ユーザーの身体、衣服あるいは物品などによって隠されていない部分に、重要な情報が表示され得る。すなわち、ユーザーによる使用状況に応じた表示態様が実現され得る。
【００６７】
上記表示対象領域は、例えば、表示部１２０において、複数の光電変換部２１１のうちの出力が特定の条件を満たす高出力である１以上の光電変換部２１１が積層されている領域であってもよい。特定の条件は、出力の高低を判定する際に使用される条件である。特定の条件には、例えば、出力の大きさを示す数値が予め設定された閾値以上である条件、及び出力の大きさを示す数値の逆数が予め設定された閾値以下である条件などが含まれる。例えば、受光に応じて光電変換部２１１から出力される電圧Ｖが、予め設定された閾値以上であれば、判定部１１によって、該光電変換部２１１における受光に応じた出力が高出力であるものと判定され得る。このような構成が採用されても、特定の種類の情報が、例えば、ユーザーにとって重要な情報であれば、表示画面２ａのうち、ユーザーの身体、衣服あるいは物品などによって隠されていない部分に、重要な情報が表示され得る。すなわち、ユーザーによる使用状況に応じた表示態様が実現され得る。
【００６８】
本実施形態の一例では、図９および図１０で示されているように、例えば、表示部１２０には、１２個の光電変換部２１１ａ１〜２１１ａ３，２１１ｂ１〜２１１ｂ３，２１１ｃ１〜２１１ｃ３，２１１ｄ１〜２１１ｄ３がそれぞれ積層されている１２個の領域（表示可能領域とも言う）１２０ａ１〜１２０ａ３，１２０ｂ１〜１２０ｂ３，１２０ｃ１〜１２０ｃ３，１２０ｄ１〜１２０ｄ３が含まれている。
【００６９】
ここで、図１で示されたように、表示部１２０が全く覆われていない使用状況にある携帯機器１における情報の表示態様の一例は、図１１で示されている通りである。図１１の例では、特定の種類の情報ＩＦ１が、表示画面２ａの略中央に表示されている。
【００７０】
一方、図７で示された使用状況にある携帯機器１における情報の表示態様の一例は、図１２で示されている通りである。図１２の例では、図９で示されるように、複数の光電変換部２１１のうちの出力が低出力である９つの光電変換部２１１ｂ１〜２１１ｂ３，２１１ｃ１〜２１１ｃ３，２１１ｄ１〜２１１ｄ３がそれぞれ積層されている表示可能領域１２０ｂ１〜１２０ｂ３，１２０ｃ１〜１２０ｃ３，１２０ｄ１〜１２０ｄ３を避けた表示可能領域１２０ａ１〜１２０ａ３からなる表示対象領域Ａｒ１に、特定の種類の情報ＩＦ１が表示されている。換言すれば、表示部１２０において、複数の光電変換部２１１のうちの出力が高出力である３つの光電変換部２１１ａ１〜２１１ａ３が積層されている３つの表示可能領域１２０ａ１〜１２０ａ３からなる表示対象領域Ａｒ１に、特定の種類の情報ＩＦ１が表示されている。図１２の例では、特定の種類の情報ＩＦ１は、ユーザーにとって重要であるメールを受信した旨を示す情報である。
【００７１】
図８で示された使用状況にある携帯機器１における情報の表示態様の一例は、図１３で示されている通りである。図１３の例では、図１０で示されるように、複数の光電変換部２１１のうちの出力が低出力である８つの光電変換部２１１ａ１，２１１ａ２，２１１ｂ１〜２１１ｂ３，２１１ｃ１〜２１１ｃ３がそれぞれ積層されている表示可能領域１２０ａ１，１２０ａ２，１２０ｂ１〜１２０ｂ３，１２０ｃ１〜１２０ｃ３を避けた４つの表示可能領域１２０ａ３，１２０ｄ１〜１２０ｄ３からなる表示対象領域Ａｒ１に、特定の種類の情報ＩＦ１が表示されている。換言すれば、表示部１２０において、複数の光電変換部２１１のうちの出力が高出力である４つの光電変換部２１１ａ３，２１１ｄ１〜２１１ｄ３が積層されている４つの表示可能領域１２０ａ３，１２０ｄ１〜１２０ｄ３からなる表示対象領域Ａｒ１に、特定の種類の情報ＩＦ１が表示されている。図１３の例では、特定の種類の情報ＩＦ１は、ユーザーにとって重要であるメールを受信した旨を示す情報である。
【００７２】
また、例えば、制御部１００の制御により、表示対象領域Ａｒ１が相互に離間した２以上の領域を有するときに、該２以上の領域のうちの最もサイズが大きな領域に、少なくとも特定の種類の情報が表示されてもよい。
【００７３】
例えば、図８で示されたユーザーによる携帯機器１の使用状況において、図１０で示されたように、１２個の光電変換部２１１のうち、上から１列目の右側の光電変換部２１１ａ３及び上から４列目の３つの光電変換部２１１ｄ１〜２１１ｄ３における受光に応じた出力が高出力となる場合を想定する。この場合、図１３で示されるように、表示部１２０の表示対象領域Ａｒ１には、第１表示対象領域Ａｒ１１と、第２表示対象領域Ａｒ１２と、が含まれている。第１表示対象領域Ａｒ１１は、１つの光電変換部２１１ａ３が積層されている１つの表示可能領域１２０ａ３からなる一塊の領域である。また、第２表示対象領域Ａｒ１２は、第１表示対象領域Ａｒ１１から離間し且つ３つの光電変換部２１１ｄ１〜２１１ｄ３が積層されている３つの表示可能領域１２０ｄ１〜１２０ｄ３からなる一塊の領域である。そして、第２表示対象領域Ａｒ１２は、第１表示対象領域Ａｒ１１の３倍の面積を有している。このとき、図１３で示されるように、制御部１００の制御により、表示対象領域Ａｒ１における相互に離間した第１表示対象領域Ａｒ１１及び第２表示対象領域Ａｒ１２のうちの最もサイズが大きな第２表示対象領域Ａｒ１２に、特定の種類の情報ＩＦ１が表示され得る。
【００７４】
また、例えば、表示対象領域Ａｒ１が、相互に離間した２以上の領域を有するときに、該２以上の領域のうちの最もサイズが大きな領域に、特定の種類の情報が表示され、該２以上の領域のうちの相対的にサイズが小さな領域に、特定の種類の情報とは異なる他の種類の情報が表示されてもよい。他の種類の情報は、例えば、制御プログラムＰｇ１などの記憶媒体１０３に記憶されるデータによって規定され得る。表示対象領域Ａｒ１に表示される特定の種類の情報および特定の種類の情報とは異なる他の種類の情報は、ユーザーによって設定されてもよい。そして、該他の種類の情報には、例えば、表示対象領域Ａｒ１のうちの最もサイズが大きな領域に表示し切れなかった情報、時刻などの重要な情報であるが、限られた大きさの領域でも表示可能な量の情報などが含まれ得る。この場合、表示画面２ａのうち、ユーザーの身体、衣服あるいは物品などによって隠されていない部分に、ユーザーにとってある程度重要な情報が表示され得る。これにより、ユーザーによる使用状況に応じた表示態様が実現され得る。
【００７５】
制御部１００は、表示対象領域Ａｒ１に表示されるべき情報が表示対象領域Ａｒ１内に表示されるように、情報のサイズ（例えば、文字サイズおよび図柄のサイズなど）および表示態様の少なくとも一方を変化させて表示させてもよい。例えば、表示対象領域Ａｒ１のサイズが比較的小さい場合に、「メールを受信しました」という文字のサイズを小さくして表示してもよいし、「メールを受信しました」という文字による表示に代えて、メールを示すアイコンによる表示が行われてもよい。
【００７６】
この場合、例えば、図８で示された使用状況にある携帯機器１において、情報の表示態様の一例は、図１４で示されている通りである。ここでは、例えば、表示対象領域Ａｒ１には、相互に離間した２以上の一塊の領域としての第１表示対象領域Ａｒ１１及び第２表示対象領域Ａｒ１２が含まれる。そして、第１表示対象領域Ａｒ１１及び第２表示対象領域Ａｒ１２のうち、最もサイズが大きな第２表示対象領域Ａｒ１２に、特定の種類の情報ＩＦ１が表示され、該第２表示対象領域Ａｒ１２よりも小さな第１表示対象領域Ａｒ１１に、他の種類の情報ＩＦ２が表示されている。図１４の例では、特定の種類の情報ＩＦ１は、ユーザーにとって重要であるメールを受信した旨を示す情報であり、他の種類の情報ＩＦ２は、ユーザーにとって他の重要である時刻を示す情報である。
【００７７】
＜(１−３−２−２)報知モードの切り替え＞
報知の対象となるイベントに着信が含まれている場合が考えられる。着信には、例えば、音声による通話、メールの受信、及びソーシャルネットワーキングサービスなどにおけるメッセージの受信などに係る着信が含まれ得る。この場合、例えば、制御部１００により、複数の光電変換部２１１のうちの予め設定された数（所定数）の光電変換部２１１における受光に応じた出力が低出力であることに応答して、携帯機器１において着信を知らせる報知モードが切り替えられる例が考えられる。
【００７８】
ここで、所定数は、例えば、１以上の任意の数に設定され得る。例えば、所定数は、ユーザーが意図しない報知モードの切り替えが生じ難い観点、及びユーザーが報知モードの切り替えを容易に実行可能である観点などの種々の観点を踏まえて、設定され得る。具体的には、着信の際に表示部１２０に表示される着信画面に対するユーザーによる操作などが考慮されて、所定数は、例えば、３などの適切な数に設定され得る。なお、所定数は、例えば、制御プログラムＰｇ１などの記憶媒体１０３に記憶されたデータによる規定、ユーザーがタッチパネル１３０、操作ボタン群１４０またはマイク１５０などを介して携帯機器１に与える各種指示などによって適宜設定され得る。
【００７９】
制御部１００によって着信を知らせる報知モードが切り替えられる具体例としては、スピーカ１７０から出力される音声によって着信の発生を知らせる報知モードが、振動部２００による外装４の振動によって着信の発生を知らせる報知モードに切り替えられる例が挙げられる。換言すれば、例えば、メロディーなどの音声によって着信の発生を知らせる報知モード（通常モードとも言う）から、外装４の振動によって着信の発生を知らせる報知モード（マナーモードとも言う）に切り替えられる例が考えられる。
【００８０】
複数の光電変換部２１１のうちの所定数の光電変換部２１１における受光に応じた出力が低出力であることに応答して、報知モードが通常モードからマナーモードに切り替えられる様子を示す一例は、図１５から図１７で示す通りである。
【００８１】
図１５には、携帯機器１において、着信の発生に応答して、表示部１２０に着信画面が表示されるとともに、スピーカ１７０などによって出力される音声によって着信の発生が知らされている様子が示されている。つまり、図１５には、通常モードにおける着信時の携帯機器１の状態が例示されている。
【００８２】
着信画面には、通話の相手の情報ＩＮＦ１が表示される。通話の相手の情報ＩＮＦ１は、通話の相手を特定できる情報であればよく、例えば、各携帯機器などに割り当てられる通話用の識別番号（例えば、電話番号）である。図１５の例では、通話の相手の識別番号が符号ＴＮ１で示されている。該識別番号は着信信号に含まれており、制御部１００は、着信信号に基づいて通話の相手の識別番号を把握して、これを表示部１２０に表示させることができる。
【００８３】
また、着信画面では、通話の相手の情報ＩＮＦ１として名前が表示されてもよい。例えば、記憶媒体１０３に、電話帳の情報が記憶されていれば、該電話帳情報は、複数の識別番号と、その識別番号に対応するユーザーの名前とを含んでいる。このため、制御部１００は、着信信号に含まれる識別番号を把握し、該識別番号と電話帳情報とに基づいて、通話の相手の名前を特定することができる。そして、これを表示部１２０に表示することができる。図１５の例では、通話の相手の名前が符号ＮＭ１で示されている。
【００８４】
また、図１５で例示される着信画面には、着信に対する応答用ボタンとして機能する要素１１１Ｒｓと、拒否用ボタンとして機能する要素１１１Ｒｊとが表示されている。着信画面では、ユーザーが要素１１１Ｒｓまたは要素１１１Ｒｊに対して操作を行うと、その操作がタッチパネル１３０によって検出されて、制御部１００へ出力される。このような操作としては、例えば、操作子を該要素に近接させた後に、該要素から遠ざける操作（いわゆるタップ操作）が採用され得る。ここでいう近接は、例えば、表示画面２ａに近づいた状態も、表示画面２ａに接触した状態も含む。制御部１００は、該要素１１１Ｒｓに対する操作に応じて通話を開始したり、あるいは要素１１１Ｒｊに対する操作に応じて通話の相手との通信を遮断したりすることができる。なお、要素１１１Ｒｓに対する操作としては、ユーザーによるフリック操作が含まれ得る。フリック操作は、ユーザーが指あるいはペンなどの操作子によって表示画面２ａを払う操作である。
【００８５】
なお、着信画面などの表示画面２ａに表示される各種画面の上端部には、例えば、適宜ステータスバーが表示される。ステータスバーは、例えば、携帯機器１の現在の状態を示すアイコンなどを表示することができる表示領域である。図１５の例では、通常モードに設定されていることを示すアイコンＭｎ１が表示されている。
【００８６】
図１６には、携帯機器１において、スピーカ１７０などによって着信の発生を知らせる音声が出力されている状態で、表示部１２０の少なくとも一部がユーザーの手によって覆われている様子が示されている。なお、例えば、表示部１２０の少なくとも一部が、手の代わりに、書類、文房具類、及び衣類などの各種物体によって覆われてもよい。図１６で示されるように、表示部１２０の少なくとも一部が手によって覆われると、図１０で示されたように、１２個の光電変換部２１１のうち、４つの光電変換部２１１ａ３，２１１ｄ１〜２１１ｄ３の出力が高出力であり、８つの光電変換部２１１ａ２，２１１ａ２，２１１ｂ１〜２１１ｂ３，２１１ｃ１〜２１１ｃ３の出力が低出力である状態となる。このとき、複数の光電変換部２１１のうちの所定数（例えば、３つ）の光電変換部２１１における受光に応じた出力が低出力である状態となる。そして、このような状態であることに応答して、例えば、制御部１００により、携帯機器１において着信を知らせる報知モードが、通常モードからマナーモードに切り替えられる。
【００８７】
図１７には、携帯機器１の報知モードがマナーモードとされて、振動部２００による外装４の振動によって着信の発生が知らされている様子が示されている。このとき、図１７で例示される着信画面には、例えば、ステータスバーなどにマナーモードに設定されていることを示すアイコンＭｖ１が表示されている。
【００８８】
図１５から図１７で示されるように、携帯機器１において、スピーカ１７０などによって着信の発生を知らせる音声が出力されている状態で、表示部１２０のある程度の大きさの領域がユーザーの手によって覆われることで、着信を知らせる報知モードが、通常モードからマナーモードに切り替えられ得る。このため、例えば、机上などに表示部１２０を上にして携帯機器１が置かれた状態で、該携帯機器１から着信の発生に応じた呼び出し音が発せられた際に、ユーザーの手などが携帯機器１の表示画面２ａ上に置かれると、着信を知らせる報知モードが、通常モードからマナーモードに切り替えられ得る。これにより、ソーラーパネル２１０の機能を利用して、携帯機器１における報知の態様の切り替えが容易に実現され得る。すなわち、携帯機器１における報知の態様の切り替えに係る機能が向上し得る。
【００８９】
また、制御部１００によって着信を知らせる報知モードが切り替えられる具体例としては、例えば、振動部２００による外装４の振動によって着信の発生を知らせる報知モードが、音声及び外装４の振動の何れによっても着信の発生を知らせない報知モードに切り替えられる例が挙げられる。つまり、例えば、外装４の振動によって着信の発生を知らせるマナーモードから、音声及び振動を用いずに表示部１２０などによって可視的に着信の発生を知らせる報知モード（サイレントモードとも言う）に切り替えられる例が考えられる。
【００９０】
複数の光電変換部２１１のうちの所定数の光電変換部２１１における受光に応じた出力が低出力であることに応答して、報知モードがマナーモードからサイレントモードに切り替えられる様子を示す一例は、図１８から図２０で示す通りである。
【００９１】
図１８には、携帯機器１において、着信の発生に応答して、表示部１２０に着信画面が表示されるとともに、振動部２００による外装４の振動によって着信の発生が知らされている様子が示されている。つまり、図１８には、マナーモードにおける着信時の携帯機器１の状態が例示されている。
【００９２】
図１９には、携帯機器１において、振動部２００による外装４の振動によって着信の発生が知らされている状態で、表示部１２０の少なくとも一部がユーザーの手などによって覆われる様子が示されている。図１９で示されるように、表示部１２０の少なくとも一部が手によって覆われると、図１０で示されたように、複数の光電変換部２１１のうちの所定数（例えば、３つ）の光電変換部２１１における受光に応じた出力が低出力である状態となる。そして、このような状態であることに応答して、例えば、制御部１００により、携帯機器１において着信を知らせる報知モードが、マナーモードからサイレントモードに切り替えられる。
【００９３】
図２０には、携帯機器１の報知モードが、音声及び振動の何れによっても着信の発生を知らせないサイレントモードに設定されている様子が示されている。図２０の例では、表示画面２ａに着信画面が表示されることで、ユーザーに対して可視的に着信の発生が知らされる。図２０で例示される着信画面には、例えば、ステータスバーなどにサイレントモードに設定されていることを示すアイコンＭｓ１が表示されている。なお、例えば、携帯機器１の報知モードがサイレントモードに設定されている場合に、図示を省略されている発光部が点滅することで、着信の発生が知らされてもよい。該発光部は、例えば、発光ダイオード（ＬＥＤ）などによって構成され得る。
【００９４】
図１８から図２０で示されるように、携帯機器１において、振動部２００による外装４の振動によって着信の発生が知らされている状態で、表示部１２０のある程度の大きさの領域がユーザーの手によって覆われることで、着信を知らせる報知モードが、マナーモードからサイレントモードに切り替えられ得る。このため、例えば、机上などに表示部１２０を上にして携帯機器１が置かれた状態で、該携帯機器１から着信の発生に応じた振動が発せられた際に、ユーザーの手などが携帯機器１の表示画面２ａ上に置かれると、着信を知らせる報知モードが、マナーモードからサイレントモードに切り替えられ得る。このような態様によっても、ソーラーパネル２１０の機能を利用して、携帯機器１における報知の態様の切り替えが容易に実現され得る。すなわち、携帯機器１における報知の態様の切り替えに係る機能が向上し得る。
【００９５】
また、制御部１００によって着信を知らせる報知モードが切り替えられる具体例としては、例えば、スピーカ１７０から出力される音声によって着信の発生を知らせる報知モードが、音声及び外装４の振動の何れによっても着信の発生を知らせない報知モードに切り替えられる例が挙げられる。つまり、例えば、メロディーなどの音声によって着信の発生を知らせる通常モードから、音声及び振動を用いずに表示部１２０などによって可視的に着信の発生を知らせるサイレントモードに切り替えられる例が考えられる。
【００９６】
複数の光電変換部２１１のうちの所定数の光電変換部２１１における受光に応じた出力が低出力であることに応答して、報知モードが通常モードからサイレントモードに切り替えられる様子を示す一例は、図１５、図１６及び図２０で示す通りである。
【００９７】
ここでは、図１５、図１６及び図２０で示されるように、携帯機器１において、スピーカ１７０などによって着信の発生を知らせる音声が出力されている状態で、表示部１２０のある程度の大きさの領域がユーザーの手によって覆われることで、着信を知らせる報知モードが、通常モードからサイレントモードに切り替えられ得る。このため、例えば、机上などに表示部１２０を上にして携帯機器１が置かれた状態で、該携帯機器１から着信の発生に応じた呼び出し音が発せられた際に、ユーザーの手などが携帯機器１の表示画面２ａ上に置かれると、着信を知らせる報知モードが、通常モードからサイレントモードに切り替えられ得る。このような態様によっても、ソーラーパネル２１０の機能を利用して、携帯機器１における報知の態様の切り替えが容易に実現され得る。すなわち、携帯機器１における報知の態様の切り替えに係る機能が向上し得る。
【００９８】
なお、例えば、制御部１００の制御により、報知モードが通常モードに設定されている状態で、表示部１２０が手などによって覆われている度合いに応じて、報知モードが、通常モードからマナーモード及びサイレントモードの何れかに切り替えられてもよい。このとき、例えば、制御部１００により、１２個の光電変換部２１１のうち、第１の数以上であり且つ第２の数未満の光電変換部２１１の出力が低出力であれば、通常モードからマナーモードに切り替えられ、１２個の光電変換部２１１のうち、第２の数以上であり且つ第３の数以下の光電変換部２１１の出力が低出力であれば、さらにサイレントモードに切り替えられる態様が考えられる。ここで、例えば、第１の数は、３〜５の自然数などに設定され、第２の数は、第１の数よりも大きく且つ６〜９の自然数などに設定され、第３の数は、第２の数よりも大きく且つ９から１２の自然数などに設定される態様が考えられる。
【００９９】
また、例えば、制御部１００の制御により、通常モードに設定されている状態で、表示部１２０が手などによって覆われることで、着信を知らせるためのメロディーの音量が低減されるように報知モードが切り替えられる態様も考えられる。例えば、制御部１００の制御により、報知モードが、メロディーの音量が大きな報知モード（大音量モードとも言う）、メロディーの音量が中程度である報知モード（中音量モードとも言う）及びメロディーの音量が小さな報知モード（小音量モードとも言う）の間で切り替え可能であってもよい。
【０１００】
ところで、制御部１００の制御により、例えば、報知モードが一旦切り替えられた後に、複数の光電変換部２１１のうちの受光に応じた出力が低出力である光電変換部２１１の数が所定数未満になると、報知モードが、切り替え前の元のモードに切り替えられてもよい。これにより、例えば、ユーザーは、携帯機器１の表示画面２ａの上から手などを取り除くことで、報知モードが容易に切り替えられ得る。
【０１０１】
＜(１−３−３)モードの切り替えルールの設定＞
ルール設定部１３は、モード切替部１２によって動作モードが切り替えられるルール（切替ルールとも言う）を設定することができる。ここで、切替ルールでは、例えば、モードが切り替えられる前の第１モードと、モードが切り替えられた後の第１モードとは異なる第２モードと、第１モードから第２モードに切り替えられるための条件とが規定される。
【０１０２】
ルール設定部１３では、切替ルールは、例えば、制御プログラムＰｇ１などの記憶媒体１０３に記憶されたデータ、あるいはユーザーがタッチパネル１３０、操作ボタン群１４０またはマイク１５０などを介して携帯機器１に与える各種指示などによって設定され得る。
【０１０３】
また、ルール設定部１３では、例えば、携帯機器１の使用状態に応じて、切替ルールが変更されてもよい。ここで言う携帯機器１の使用状態には、例えば、携帯機器１の姿勢、携帯機器１の移動状態、及び表示画面２ａの明るさの設定などが含まれ得る。携帯機器１の姿勢及び移動状態は、携帯機器１に加速度センサ等が搭載されることで検出され得る。表示画面２ａの明るさの設定は、例えば、ユーザーがタッチパネル１３０、操作ボタン群１４０またはマイク１５０などを介して携帯機器１に与える各種指示などによって適宜設定され得る。
【０１０４】
また、例えば、携帯機器１の使用状態が、携帯機器１における全ての光電変換部２１１の出力が低出力である状態が予め設定された時間以上において継続している状態であれば、ルール設定部１３は、モードを切り替える動作を行わないように設定してもよい。全ての光電変換部２１１の出力が低出力である状態は、例えば、携帯機器１が暗所で使用されている状態、携帯機器１がバッグまたはポケットなどの内部に入れられている状態、表示画面２ａが下向きにされて携帯機器１が机上などに置かれている状態などによって生じ得る。
【０１０５】
なお、切替ルールが、例えば、制御プログラムＰｇ１などによって決められていて、変更されない構成では、ルール設定部１３が省略されてよい。
【０１０６】
＜(１−４)動作モードの切り替えに係る動作フローの具体例＞
ここで、携帯機器１の動作モードを切り替える処理（切替処理とも言う）を制御する、携帯機器１の制御方法について説明する。ここでは、具体例として、着信などのイベントの発生の有無に拘わらず実行される切替処理に係る動作フロー、及び着信などのイベントが発生することで実行され得る切替処理に係る動作フローについて順に説明する。
【０１０７】
＜(１−４−１)イベントの発生の有無に拘わらず実行される切替処理＞
図２１は、携帯機器１においてイベントの発生の有無に拘わらず実行される切替処理に係る動作フローの一例を示すフローチャートである。イベントの発生の有無に拘わらず切り替えられるモードには、例えば、表示モード及び各種の処理モードが含まれ得る。
【０１０８】
図２１で示される動作フローは、例えば、動作モードの切り替えを制御する制御部１００の各種機能によって実現され得る。これらの各種機能は、例えば、制御部１００において制御プログラムＰｇ１が実行されることで実現され得る。換言すれば、図２１で示される制御動作は、例えば、制御部１００において制御プログラムＰｇ１が実行されることで実現され得る。
【０１０９】
図２１のステップＳ１では、判定部１１によって、各光電変換部２１１の出力に係る検出値が認識される。ここでは、該検出値は、例えば、電源回路２３０から入力される信号に基づいて認識され得る。
【０１１０】
ステップＳ２では、判定部１１によって、ソーラーパネル２１０を構成する全ての光電変換部２１１の出力が低出力であるか否かが判定される。ここで、全ての光電変換部２１１の出力が低出力であれば、ステップＳ１に戻る。これにより、暗所などで携帯機器１が使用されている途中に、表示画面２ａが情報を全く表示しなくなる不具合が回避され得る。一方、１つ以上の光電変換部２１１の出力が低出力でなければ、ステップＳ３に進む。
【０１１１】
ステップＳ３では、判定部１１によって、相互に隣り合って配された複数の光電変換部２１１のうちの予め設定された数（所定数）の光電変換部２１１における受光に応じた出力が基準の条件を満たす低出力であるか否かが判定される。ここで、低出力の光電変換部２１１の数が所定数以上でなければ、ステップＳ１に戻る。一方、低出力の光電変換部２１１の数が所定数以上であれば、ステップＳ４に進む。切り替えの対象となる動作モードが表示モードであれば、例えば、所定数は、１であればよい。
【０１１２】
ステップＳ４では、モード切替部１２によって、携帯機器１の動作モードが切り替えられる。つまり、予め設定された数（所定数）の光電変換部２１１の出力が低出力であると判定されたことに応答して、携帯機器１の動作モードが切り替えられる。ここでは、例えば、特定の種類の情報ＩＦ１が、図１１で示されたように、表示画面２ａの略中央に表示されていたものが、図１２から図１４に示されるように、表示画面２ａのユーザーの手などで隠されていない領域に表示される。これにより、例えば、ユーザーによる使用状況に応じた表示態様が実現され得る。
【０１１３】
ステップＳ５では、上記ステップＳ１と同様に、判定部１１によって、各光電変換部２１１の出力に係る検出値が認識される。
【０１１４】
ステップＳ６では、判定部１１によって、低出力の光電変換部２１１の数が変化したか否かが判定される。ここでは、例えば、低出力の光電変換部２１１の数が変化していなければ、低出力の光電変換部２１１の数が変化するまで、ステップＳ５，Ｓ６の処理が繰り返される。一方、低出力の光電変換部２１１の数が変化していれば、ステップＳ２に戻る。なお、電源回路２３０から入力される信号に基づいて認識される、光電変換部２１１毎の検出値は、例えば、記憶媒体１０３に記憶される。そして、光電変換部２１１毎の検出値が変化すると、記憶媒体１０３に記憶されている、光電変換部２１１毎の検出値を示すデータが変更される。
【０１１５】
このような動作フローは、例えば、携帯機器１の電源がＯＮの状態であれば、繰り返して行われ、携帯機器１の電源がＯＦＦの状態となれば、強制的に終了されてもよい。
【０１１６】
＜(１−４−２)イベントが発生することで実行される切替処理＞
図２２は、携帯機器１において着信などのイベントが発生している際に実行される切替処理に係る動作フローの一例を示すフローチャートである。イベントが発生している際に切り替えられるモードには、例えば、報知モードが含まれ得る。
【０１１７】
図２２で示される動作フローは、例えば、動作モードの切り替えを制御する制御部１００の各種機能によって実現され得る。これらの各種機能は、例えば、制御部１００において制御プログラムＰｇ１が実行されることで実現され得る。換言すれば、図２２で示される制御動作は、例えば、制御部１００において制御プログラムＰｇ１が実行されることで実現され得る。
【０１１８】
図２２のステップＳＴ１では、制御部１００によって、イベントが発生中であるか否かが判定される。イベントには、例えば、外部の携帯機器との音声及びメールの通信などにおける着信などが含まれ得る。ここで、イベントが発生中となるまで、ステップＳＴ１の処理が繰り返され、イベントが発生中となると、ステップＳＴ２に進む。
【０１１９】
ステップＳＴ２では、図２１のステップＳ１と同様に、判定部１１によって、各光電変換部２１１の出力に係る検出値が認識される。
【０１２０】
ステップＳＴ３では、図２１のステップＳ２と同様に、判定部１１によって、ソーラーパネル２１０を構成する全ての光電変換部２１１の出力が低出力であるか否かが判定される。ここで、全ての光電変換部２１１の出力が低出力であれば、ステップＳＴ１に戻る。一方、１つ以上の光電変換部２１１の出力が低出力でなければ、ステップＳＴ４に進む。
【０１２１】
ステップＳＴ４では、上記ステップＳＴ２と同様に、判定部１１によって、各光電変換部２１１の出力に係る検出値が認識される。
【０１２２】
ステップＳＴ５では、図２１のステップＳ３と同様に、判定部１１によって、相互に隣り合って配された複数の光電変換部２１１のうちの予め設定された数（所定数）の光電変換部２１１における受光に応じた出力が基準の条件を満たす低出力であるか否かが判定される。ここで、低出力の光電変換部２１１の数が所定数以上でなければ、ステップＳＴ６に進む。一方、低出力の光電変換部２１１の数が所定数以上であれば、ステップＳＴ７に進む。
【０１２３】
ステップＳＴ６では、上記ステップＳＴ１と同様に、制御部１００によって、イベントが発生中であるか否かが判定される。ここで、イベントが発生中であれば、ステップＳＴ４に戻り、イベントが発生中でなければ、ステップＳＴ１に戻る。
【０１２４】
ステップＳＴ７では、モード切替部１２によって、携帯機器１の動作モードが切り替えられる。つまり、予め設定された数（所定数）の光電変換部２１１の出力が低出力であると判定されたことに応答して、携帯機器１の動作モードが切り替えら得る。ここでは、例えば、報知モードが切り替えられる。このとき、例えば、報知モードが、図１５から図１７に示されるように、通常モードからマナーモードに切り替えられてもよいし、図１８から図２０に示されるように、マナーモードからサイレントモードに切り替えられてもよい。また、例えば、報知モードが、図１５、図１６及び図２０に示されるように、通常モードからサイレントモードに切り替えられてもよい。これにより、例えば、ユーザーによる使用状況に応じた報知態様が実現され得る。
【０１２５】
ステップＳＴ８では、上記ステップＳＴ１，ＳＴ６と同様に、制御部１００によって、イベントが発生中であるか否かが判定される。ここで、イベントが発生中であれば、ステップＳＴ９に進む。一方、イベントが発生中でなければ、ステップＳＴ１に戻る。
【０１２６】
ステップＳＴ９では、上記ステップＳＴ２，ＳＴ４と同様に、判定部１１によって、各光電変換部２１１の出力に係る検出値が認識される。
【０１２７】
ステップＳＴ１０では、判定部１１によって、低出力の光電変換部２１１の数が、予め設定された数（所定数）未満であるか否かが判定される。ここで、低出力の光電変換部２１１の数が所定数未満でなければ、ステップＳＴ８に戻る。一方、低出力の光電変換部２１１の数が所定数未満であれば、ステップＳＴ１１に進む。
【０１２８】
ステップＳＴ１１では、モード切替部１２によって、携帯機器１の動作モードが切り替えられる。ここでは、例えば、ステップＳＴ７における動作モードの切り替えとは逆方向の動作モードの切り替えが行われ得る。例えば、マナーモードから通常モードへの切り替え、サイレントモードからマナーモードへの切り替え、及びサイレントモードから通常モードへの切り替えのうちの１つの報知モードの切り替えが行われ得る。このステップＳＴ１１の処理が終了されると、ステップＳＴ１に戻る。
【０１２９】
このような動作フローは、例えば、携帯機器１の電源がＯＮの状態であれば、繰り返して行われ、携帯機器１の電源がＯＦＦの状態となれば、強制的に終了されてもよい。
【０１３０】
＜(１−５)実施形態の一例のまとめ＞
以上のように、実施形態の一例では、例えば、相互に隣り合って配され、且つ外装４の１つの面に入射された光に基づいて発電する、複数の光電変換部２１１において、予め設定された数の光電変換部２１１の出力が低出力となると、携帯機器１の動作モードが切り替えられる。これにより、例えば、ユーザーによる携帯機器１の使用状況に応じて、携帯機器１の動作モードが切り替えられ得る。その結果、太陽電池としてのソーラーパネル２１０を搭載した携帯機器１における機能が改善され得る。
【０１３１】
＜(２)変形例＞
例えば、報知の対象であるイベントには、通話及びメールに係る着信だけでなく、各種情報の着信、設定された日時の到来、及び注意を要する事態の発生などが含まれてもよい。各種情報の着信には、例えば、アプリケーションの更新及びコンピュータウイルスに対する注意の喚起などに係る各種情報の着信などが含まれ得る。設定された日時の到来には、スケジュールの管理機能による予定日の到来、及びアラーム機能における設定時刻の到来などが含まれ得る。注意を要する事態には、例えば、電池の蓄電量及びメモリの空き容量などに係る残量の低下などが含まれ得る。そして、例えば、イベントの発生を知らせる報知に、表示部１２０における情報の表示が利用される場合には、モード切替部１２によって、報知モードの切り替えだけでなく、表示モードの切り替えも併せて行われてもよい。
【０１３２】
報知モードの切り替えとともに、表示モードの切り替えが併せて行われている様子の例は、図２３及び図２４で示される通りである。図２３には、通常モードからマナーモードに切り替えられた際に、表示画面２ａのうち、ユーザーの身体、衣服あるいは物品などによって隠されていない部分に、重要な情報ＩＦ１としての通話の相手の情報ＩＮＦ１が表示されている様子が示されている。図２４には、通常モードまたはマナーモードからサイレントモードに切り替えられた際に、表示画面２ａのうち、ユーザーによって隠されていない部分に、重要な情報ＩＦ１としての通話の相手の情報ＩＮＦ１が表示されている様子が示されている。また、図２３及び図２４には、相対的に大きな表示対象領域に、重要な情報ＩＦ１が表示され、相対的に小さな表示対象領域に、他の種類の情報ＩＦ２が表示されている様子が示されている。これにより、例えば、音声通話の着信時に、ユーザーによって表示画面２ａの一部が手や手帳などによって覆われることで、呼び出し用の音声または振動の発生が抑制されつつ、発信者の情報が表示される。このため、オフィス、図書館及び電車の中などといった静かな環境において使い勝手のよい携帯機器１が提供され得る。
【０１３３】
なお、例えば、着信などのイベントの発生を知らせる報知が行われる際には、動作モードの切り替えが行われるが、報知が行われる際以外では、動作モードの切り替えが行われないような構成が採用されてもよい。
【０１３４】
また、着信などのイベントの発生を知らせる報知に限らず、例えば、音楽がスピーカ１７０から出力されている場合に、表示部１２０の少なくとも一部が手などによって覆われ、複数の光電変換部２１１のうちの所定数の光電変換部２１１における受光に応じた出力が低出力となると、スピーカ１７０による出力が中断若しくは中止される、又は音量が小さくなるといった出力モードの切り替えが行われてもよい。
【０１３５】
さらに、表示部１２０の少なくとも一部が手などによって覆われ、複数の光電変換部２１１のうちの所定数の光電変換部２１１における受光に応じた出力が低出力となると、表示画面２ａが暗くなるといったように、表示画面２ａの明るさが変化してもよい。
【０１３６】
また、ここで、ソーラーパネル２１０に、外からの光（外光とも言う）と、表示パネル１２１で発せられる光（自光とも言う）とが入射される場合を想定する。この場合、自光において、ソーラーパネル２１０における発電に寄与する光の成分の強度が小さければ、外光に対する遮光に応じて、光電変換部２１１の出力が低下し易い。このため、例えば、光電変換部２１１の出力の高低に応じて携帯機器１の動作モードが切り替えられ得る状態に設定されたことに応答して自光の強度が低減されるモード（エコモードとも言う）に設定されれば、外光に対する遮光に応じて光電変換部２１１の出力が低下し易い。その結果、携帯機器１の動作モードの切り替えが、より確実に制御され得る。
【０１３７】
また、例えば、携帯機器１がポケットなどに入れられて、表示画面２ａのうちのユーザーから見えない遮光された部分には情報が表示されなくともよい。例えば、表示パネル１２１に、有機ＥＬパネルなどの画素毎に発光と非発光とを切り替えることができる表示パネルが適用されれば、表示画面２ａのうちのユーザーから見えない遮光された領域には、情報が表示されないように、発光しない構成が採用されてもよい。これにより、携帯機器１における消費電力の低減が図られ得る。
【０１３８】
また、動作モードの切り替えの態様として、例えば、着信に対して開始される通話の形態（通話モードとも言う）が、通常の音声通話の形態、スピーカ１７０及びマイク１５０を用いたハンズフリーの音声通話の形態、ならびに映像を伴うビデオ通話の形態の間において切り替えられる態様が採用されてもよい。これにより、着信時に対して開始される通話モードが、容易且つ迅速に切り替えられ得る。
【０１３９】
また、着信した際、表示部１２０の少なくとも一部が手などによって覆われ、複数の光電変換部２１１のうちの所定数の光電変換部２１１における受光に応じた出力が低出力となると、その着信を保留する、所定のメッセージを流す、所定の音楽を流すといった処理の少なくとも一つを行ってもよい。さらに、着信を切断してもよい。
【０１４０】
また、例えば、各光電変換部２１１の出力の高低に加えて、タッチパネル１３０による手の検出が組み合わされて、手などの身体で覆われることで光電変換部２１１の出力が低出力となっているのか否かが判別されてもよい。この場合、例えば、着信の発生時に、表示画面２ａが手で覆われると、報知モードが通常モードからサイレントモードに切り替えられる態様が実現可能である。また、例えば、着信の発生に対して、表示画面２ａの一部が身体以外の部分で覆われると、着信の発生を知らせている状態から、スピーカ１７０及びマイク１５０を用いたハンズフリーで通話をしている状態（ハンズフリー通話状態とも言う）に切り替えられるような動作モードの切り替え態様も実現可能である。つまり、例えば、表示画面２ａを覆うものの種類に応じた、動作モードの切り替えが実現され得る。なお、身体以外の部分には、例えば、衣服及び文房具などの各種物体が含まれ得る。なお、例えば、動作モードの切り替え前のモードに、通話を行っているモードが含まれ、動作モードの切り替え後のモードに、通話を終了しているモードが含まれ得る。
【０１４１】
また、例えば、図２５で示されるように、表示部１２０が設けられた前面１ａとは異なる１つの面としての背面１ｂにもソーラーパネル２１０が配されてもよい。また、例えば、前面１ａのソーラーパネル２１０に代えて、１つの面としての背面１ｂにソーラーパネル２１０が配されてもよい。このような構成であっても、少なくとも報知モードの切り替えが可能となる。
【０１４２】
また、例えば、ソーラーパネル２１０を構成する複数の光電変換部２１１は、２個以上であればよい。そして、例えば、図２６で示されるように、各行に２つの光電変換部２１１が配されてもよい。つまり、ソーラーパネル２１０は、第１方向に２個の光電変換部２１１が配列され、且つ該第１方向に交差する第２方向にＮ個（Ｎは自然数）の光電変換部２１１が配された、複数の光電変換部２１１を有していてもよい。図２６の例では、第１方向と第２方向とが直交又は略直交しており、第１方向に２個の光電変換部２１１が配列され、第２方向に４個の光電変換部２１１が配列されている。このような構成によれば、ソーラーパネル２１０を構成する全ての光電変換部２１１が、該ソーラーパネル２１０の外周に沿って配され得る。このような構成では、例えば、各光電変換部２１１から電源回路２３０に向けた配線の配設が容易となる。
【０１４３】
また、例えば、報知部２５０には、携帯機器１に通信可能に接続される、ヘッドホンを有するヘッドセットなどの外部機器が適用されてもよい。携帯機器１と外部機器との接続は、有線及び無線の何れの態様であってもよい。
【０１４４】
また、例えば、複数のパーツが直接的または間接的に適宜連結されることで、一体的な機器ケース３が形成されてもよい。このような構成の具体例として携帯機器１Ａを挙げて説明する。図２７は、携帯機器１Ａの外観の一例を概略的に示す背面図である。携帯機器１Ａは、例えば、いわゆるスマートフォンなどの携帯電話機である。携帯機器１Ａでは、例えば、カバーパネル２に対して取り付けられた複数のモジュール３ａから３ｄによって１つの機器ケース３が形成されている。このとき、モジュール３ａとしては、例えば、アウトカメラ１８０が内蔵されたカメラ装置が採用され得る。モジュール３ｂとしては、例えば、制御部１００が内蔵された携帯機器１Ａの制御装置が採用され得る。モジュール３ｃとしては、例えば、電源回路２３０及び電池２２０が内蔵された携帯機器１Ａの電源装置が採用され得る。モジュール３ｄとしては、例えば、その他の構成が適宜内蔵された装置が採用され得る。
【０１４５】
このような構成では、例えば、モジュール３ｂとしての携帯機器１Ａの制御装置は、プログラムを記憶する記憶媒体１０３と、該プログラムを実行するＣＰＵ及びＤＳＰなどのプロセッサーとを有している。例えば、プロセッサーは、携帯機器１の動作モードを切り替える切替処理を実行することができる。切替処理では、複数の光電変換部２１１のうちの予め設定された数の光電変換部２１１における受光に応じた出力が低出力であることに応答して、携帯機器１の動作モードが切り替えられる。なお、複数の光電変換部２１１は、相互に隣り合って配されており且つ携帯機器１Ａの外装４の一つの面に入射された光に基づいてそれぞれ発電することができる。
【０１４６】
なお、以上では、携帯機器１，１Ａ、携帯機器１，１Ａの制御方法、携帯機器１，１Ａの制御装置及び制御プログラムＰｇ１は詳細に説明されたが、上記した説明は、全ての局面において例示であって、この開示がそれに限定されるものではない。また、上記実施形態の一例及び各種変形例をそれぞれ構成する全部または一部を、適宜、矛盾しない範囲で組み合わせ可能であることは、言うまでもない。そして、例示されていない多数の変形例が、この開示の範囲から外れることなく想定され得るものと解される。
【符号の説明】
【０１４７】
１，１Ａ  携帯機器
１ａ  前面
１ｂ  背面
２  カバーパネル
２ａ  表示画面
３  機器ケース
３ａ〜３ｄ  モジュール
４  外装
１１  判定部
１２  モード切替部
１００  制御部
１０１  ＣＰＵ
１０２  ＤＳＰ
１０３  記憶媒体
１２０  表示部
１２０ａ１〜１２０ａ３，１２０ｂ１〜１２０ｂ３，１２０ｃ１〜１２０ｃ３，１２０ｄ１〜１２０ｄ３  表示可能領域
１２１  表示パネル
１７０  スピーカ
２００  振動部
２１０  ソーラーパネル
２１１，２１１ａ１〜２１１ａ３，２１１ｂ１〜２１１ｂ３，２１１ｃ１〜２１１ｃ３，２１１ｄ１〜２１１ｄ３  光電変換部
２２０  電池
２３０  電源回路
２４０  出力部
２５０  報知部
Ａｒ１  表示対象領域
Ａｒ１１  第１表示対象領域
Ａｒ１２  第２表示対象領域
Ｐｇ１  制御プログラム
【図１】
2017183799.tif 000003
【図２】
2017183799.tif 000004
【図３】
2017183799.tif 000005
【図４】
2017183799.tif 000006
【図５】
2017183799.tif 000007
【図６】
2017183799.tif 000008
【図７】
2017183799.tif 000009
【図８】
2017183799.tif 000010
【図９】
2017183799.tif 000011
【図１０】
2017183799.tif 000012
【図１１】
2017183799.tif 000013
【図１２】
2017183799.tif 000014
【図１３】
2017183799.tif 000015
【図１４】
2017183799.tif 000016
【図１５】
2017183799.tif 000017
【図１６】
2017183799.tif 000018
【図１７】
2017183799.tif 000019
【図１８】
2017183799.tif 000020
【図１９】
2017183799.tif 000021
【図２０】
2017183799.tif 000022
【図２１】
2017183799.tif 000023
【図２２】
2017183799.tif 000024
【図２３】
2017183799.tif 000025
【図２４】
2017183799.tif 000026
【図２５】
2017183799.tif 000027
【図２６】
2017183799.tif 000028
【図２７】
2017183799.tif 000029